(57)【要約】【課題】スケジュールの進捗管理を従業員の手入力で行っていたため、虚偽の入力が容易であり、スケジュール進捗管理は信頼度が低いことを課題とする。【解決手段】スケジュールを管理する管理装置１１と、移動体装置１５に入金を行う入金センタ１２と、入金指示を指示する金融機関１３と、移動体装置１５を所有する利用者の勤め先である会社１４とがネットワーク１０を介して相互に通信可能に接続して構成される。また、管理装置１１と、入金センタ１２と、移動体装置１５とは、図示しない基地局を介して無線通信にて接続されている。そして、管理装置１１は、登録されたスケジュール１６と、受信した決済情報１７とを記憶している。このような構成において、管理装置１１は、移動体装置１５から虚偽が困難である決済情報を受信して記憶し、記憶した決済情報に基づいて、スケジュール進捗管理を行う。【選択図】        図１
2007219660.tif 000002
【特許請求の範囲】
【請求項１】
利用者が所有する決済機能を備えた移動体装置と、前記利用者のスケジュールを時間および場所に対応付けて記憶するスケジュール記憶手段を備えた管理装置とから構成されるスケジュール管理システムであって、
前記移動体装置は、
前記決済機能により決済が行われた場合に、当該決済が行われた時間および場所を含んだ決済情報を前記管理装置に送信する決済送信手段と、
前記管理装置は、
前記移動体装置から受信した前記決済情報を記憶する決済記憶手段と、
前記決済記憶手段に記憶された前記決済情報に基づいて、前記スケジュール記憶手段に記憶されたスケジュールの進捗を判定するスケジュール進捗判定手段と、
を備えたことを特徴とするスケジュール管理システム。
【請求項２】
利用者のスケジュールを時間および場所に対応付けて記憶するスケジュール記憶手段を備えた管理装置であって、
前記利用者が所有する決済機能を備えた移動体装置から、前記決済機能により決済が行われた場合に、当該決済が行われた時間および場所を含んだ決済情報を受信する決済受信手段と、
前記移動体装置から受信した前記決済情報を記憶する決済記憶手段と、
前記決済記憶手段に記憶された前記決済情報に基づいて、前記スケジュール記憶手段に記憶されたスケジュールの進捗を判定するスケジュール進捗判定手段と、
を備えたことを特徴とする管理装置。
【請求項３】
前記決済記憶手段に記憶された前記決済情報に基づいて、前記スケジュール記憶手段に記憶された重要度の高いスケジュールを遂行できないおそれがあるか否かを判定する重要スケジュール遂行判定手段と、
前記重要スケジュール遂行判定手段により前記重要度の高いスケジュールを遂行できないおそれがある旨が判定された場合に、当該遂行できないおそれがある旨を示す警告を前記移動体装置に送信する重要スケジュール警告送信手段と、
をさらに備えたことを特徴とする請求項２に記載の管理装置。
【請求項４】
前記スケジュール記憶手段は、前記スケジュールに対応付けて、当該スケジュールの場所に移動するための移動経路をさらに記憶するものであって、
前記決済記憶手段に記憶された前記決済情報に基づいて、前記スケジュール記憶手段に記憶された前記スケジュールの場所に前記移動経路で移動することによって前記スケジュールの開始に遅れるか否かを判定する移動経路判定手段と、
前記移動経路判定手段により前記スケジュールの開始に遅れる旨が判定された場合に、当該スケジュールの開始に遅れない別の移動経路を検索し、当該検索した別の移動経路に係る情報を前記移動体装置に送信する移動経路検索手段と、
をさらに備えたことを特徴とする請求項２または３に記載の管理装置。
【請求項５】
前記決済記憶手段に記憶された前記決済情報に基づいて、前記スケジュール記憶手段に記憶されたスケジュールの進捗に遅延が生じているか否か、または、前記スケジュール記憶手段に記憶された重要度の高いスケジュールを遂行できないおそれがあるか否かを判定する遅延遂行判定手段と、
前記遅延遂行判定手段により前記スケジュールの進捗に遅延が生じている旨、または、前記重要度の高いスケジュールを遂行できないおそれがある旨が判定された場合に、前記スケジュール記憶手段に記憶されたスケジュールを変更し、当該変更した新たなスケジュールに係る情報を前記移動体装置に送信するスケジュール変更手段と、
をさらに備えたことを特徴とする請求項２〜４のいずれか一つに記載の管理装置。
【請求項６】
前記スケジュール変更手段により、前記スケジュール記憶手段に記憶されたスケジュールを変更された場合、当該スケジュールの変更に係る情報を当該スケジュールに関係する関係者の端末装置に送信する変更送信手段をさらに備えたことを特徴とする請求項２〜５のいずれか一つに記載の管理装置。
【請求項７】
前記スケジュール記憶手段に記憶されたスケジュールを遂行するために必要な所定の経費を前記移動体装置に入金するように所定の金融機関に指示する入金指示手段をさらに備えたことを特徴とする請求項２〜６のいずれか一つに記載の管理装置。
【請求項８】
利用者が所有する決済機能を備えた移動体装置であって、
前記利用者のスケジュールを場所および時間に対応付けて記憶するするスケジュール記憶手段と、
前記決済機能により決済が行われた場合に、当該決済が行われた場所および時間を含んだ決済情報を記憶する決済記憶手段と、
前記決済記憶手段に記憶された前記決済情報に基づいて、前記スケジュール記憶手段に記憶されたスケジュールの進捗を判定するスケジュール進捗判定手段と、
を備えたことを特徴とする移動体装置。
【請求項９】
前記決済記憶手段に記憶された前記決済情報に基づいて、前記スケジュール記憶手段に記憶されたスケジュールの進捗に遅延が生じているか否か、または、前記スケジュール記憶手段に記憶された重要度の高いスケジュールを遂行できないおそれがあるか否かを判定する遅延遂行判定手段と、
前記遅延遂行判定手段により前記スケジュールの進捗に遅延が生じている旨、または、前記重要度の高いスケジュールを遂行できないおそれがある旨が判定された場合に、前記スケジュール記憶手段に記憶されたスケジュールを変更し、当該変更した新たなスケジュールに係る情報を前記利用者に報知するスケジュール変更手段と、
前記スケジュール変更手段により、前記スケジュールを変更された場合、当該スケジュールが変更に係る情報を当該スケジュールに関係する関係者の端末装置に送信する変更送信手段と、
をさらに備えたことを特徴とする請求項８に記載の移動体装置。
【請求項１０】
前記スケジュール記憶手段に記憶されたスケジュールに係る情報を他の端末装置に送信するスケジュール送信手段をさらに備えたことを特徴とする請求項８または９に記載の移動体装置。
【発明の詳細な説明】
【技術分野】
【０００１】
この発明は、スケジュール管理システム、管理装置および移動体装置に関する。
【背景技術】
【０００２】
従来より、出張など外出して業務を行う従業者は、事前に会社指定の所定の用紙やＷＥＢ画面に対して、出張の時間や場所を手入力することでスケジュールの登録を行っていた（特許文献１）。そして、一般的に、このようにして登録されたスケジュールを遂行すると、従業員は、スケジュール遂行を示す情報を上記の用紙やＷＥＢ画面に対して手入力することでスケジュールの進捗管理を行っていた。
【０００３】
【特許文献１】特開２００２−８３１００号公報
【発明の開示】
【発明が解決しようとする課題】
【０００４】
しかしながら、上記した従来の技術では、登録されているスケジュールの進捗管理を従業員の手入力で行っていたため、虚偽の入力が容易であり、スケジュール進捗管理は信頼度の低いものであるという問題点があった。
【０００５】
そこで、この発明は、上述した従来技術の課題を解決するためになされたものであり、信頼度の高いスケジュール進捗管理を行うことが可能であるスケジュール管理システムおよびスケジュール管理方法を提供することを目的とする。
【課題を解決するための手段】
【０００６】
上述した課題を解決し、目的を達成するため、請求項１に係る発明は、利用者が所有する決済機能を備えた移動体装置と、前記利用者のスケジュールを時間および場所に対応付けて記憶するスケジュール記憶手段を備えた管理装置とから構成されるスケジュール管理システムであって、前記移動体装置は、前記決済機能により決済が行われた場合に、当該決済が行われた時間および場所を含んだ決済情報を前記管理装置に送信する決済送信手段と、前記管理装置は、前記移動体装置から受信した前記決済情報を記憶する決済記憶手段と、前記決済記憶手段に記憶された前記決済情報に基づいて、前記スケジュール記憶手段に記憶されたスケジュールの進捗を判定するスケジュール進捗判定手段と、を備えたことを特徴とする。
【０００７】
また、請求項２に係る発明は、上記の発明において、利用者のスケジュールを時間および場所に対応付けて記憶するスケジュール記憶手段を備えた管理装置であって、前記利用者が所有する決済機能を備えた移動体装置から、前記決済機能により決済が行われた場合に、当該決済が行われた時間および場所を含んだ決済情報を受信する決済受信手段と、前記移動体装置から受信した前記決済情報を記憶する決済記憶手段と、前記決済記憶手段に記憶された前記決済情報に基づいて、前記スケジュール記憶手段に記憶されたスケジュールの進捗を判定するスケジュール進捗判定手段と、を備えたことを特徴とする。
【０００８】
また、請求項３に係る発明は、上記の発明において、前記決済記憶手段に記憶された前記決済情報に基づいて、前記スケジュール記憶手段に記憶された重要度の高いスケジュールを遂行できないおそれがあるか否かを判定する重要スケジュール遂行判定手段と、前記重要スケジュール遂行判定手段により前記重要度の高いスケジュールを遂行できないおそれがある旨が判定された場合に、当該遂行できないおそれがある旨を示す警告を前記移動体装置に送信する重要スケジュール警告送信手段と、をさらに備えたことを特徴とする。
【０００９】
また、請求項４に係る発明は、上記の発明において、前記スケジュール記憶手段は、前記スケジュールに対応付けて、当該スケジュールの場所に移動するための移動経路をさらに記憶するものであって、前記決済記憶手段に記憶された前記決済情報に基づいて、前記スケジュール記憶手段に記憶された前記スケジュールの場所に前記移動経路で移動することによって前記スケジュールの開始に遅れるか否かを判定する移動経路判定手段と、前記移動経路判定手段により前記スケジュールの開始に遅れる旨が判定された場合に、当該スケジュールの開始に遅れない別の移動経路を検索し、当該検索した別の移動経路に係る情報を前記移動体装置に送信する移動経路検索手段と、をさらに備えたことを特徴とする。
【００１０】
また、請求項５に係る発明は、上記の発明において、前記決済記憶手段に記憶された前記決済情報に基づいて、前記スケジュール記憶手段に記憶されたスケジュールの進捗に遅延が生じているか否か、または、前記スケジュール記憶手段に記憶された重要度の高いスケジュールを遂行できないおそれがあるか否かを判定する遅延遂行判定手段と、前記遅延遂行判定手段により前記スケジュールの進捗に遅延が生じている旨、または、前記重要度の高いスケジュールを遂行できないおそれがある旨が判定された場合に、前記スケジュール記憶手段に記憶されたスケジュールを変更し、当該変更した新たなスケジュールに係る情報を前記移動体装置に送信するスケジュール変更手段とを、さらに備えたことを特徴とする。
【００１１】
また、請求項６に係る発明は、上記の発明において、前記スケジュール変更手段により、前記スケジュール記憶手段に記憶されたスケジュールを変更された場合、当該スケジュールが変更されたことを当該スケジュールに関係する関係者の端末装置に送信する変更送信手段をさらに備えたことを特徴とする。
【００１２】
また、請求項７に係る発明は、上記の発明において、前記スケジュール記憶手段に記憶されたスケジュールを遂行するために必要な所定の経費を前記移動体装置に入金するように所定の金融機関に指示する入金指示手段をさらに備えたことを特徴とする。
【００１３】
また、請求項８に係る発明は、上記の発明において、利用者が所有する決済機能を備えた移動体装置であって、前記利用者のスケジュールを場所および時間に対応付けて記憶するするスケジュール記憶手段と、前記決済機能により決済が行われた場合に、当該決済が行われた場所および時間を含んだ決済情報を記憶する決済記憶手段と、前記決済記憶手段に記憶された前記決済情報に基づいて、前記スケジュール記憶手段に記憶されたスケジュールの進捗を判定するスケジュール進捗判定手段と、を備えたことを特徴とする。
【００１４】
また、請求項９に係る発明は、上記の発明において、前記決済記憶手段に記憶された前記決済情報に基づいて、前記スケジュール記憶手段に記憶されたスケジュールの進捗に遅延が生じているか否か、または、前記スケジュール記憶手段に記憶された重要度の高いスケジュールを遂行できないおそれがあるか否かを判定する遅延遂行判定手段と、前記遅延遂行判定手段により前記スケジュールの進捗に遅延が生じている旨、または、前記重要度の高いスケジュールを遂行できないおそれがある旨が判定された場合に、前記スケジュール記憶手段に記憶されたスケジュールを変更し、当該変更した新たなスケジュールに係る情報を前記利用者に報知するスケジュール変更手段と、前記スケジュール変更手段により、前記スケジュールを変更された場合、当該スケジュールの変更に係る情報を当該スケジュールに関係する関係者の端末装置に送信する変更送信手段とを、さらに備えたことを特徴とする。
【００１５】
また、請求項１０に係る発明は、上記の発明において、前記スケジュール記憶手段に記憶されたスケジュールに係る情報を他の端末装置に送信するスケジュール送信手段をさらに備えたことを特徴とする。
【発明の効果】
【００１６】
請求項１の発明によれば、移動体装置は、決済機能により決済が行われた場合に、当該決済が行われた時間および場所を含んだ決済情報を管理装置に送信し、管理装置は、移動体装置から受信した決済情報を記憶し、記憶された決済情報に基づいて、記憶されたスケジュールの進捗を判定するので、管理装置では、例えば、「１３：００〜１４：００、霞が関、Ａ社会議」というスケジュールが登録されており、「１２：５０、地下鉄霞ヶ関駅、１９０円（地下鉄新宿駅→地下鉄霞ヶ関駅）」という決済情報を移動体装置から受信した場合に、利用者がスケジュール開始時間前にスケジュール場所に到着していることを根拠にして、スケジュールが遂行されるものと判定するなど、虚偽が困難である決済情報を用いてスケジュールの進捗管理を行うことができ、これによって、信頼度の高いスケジュール進捗管理を行うことが可能である。
【００１７】
また、請求項２の発明によれば、管理装置は、利用者が所有する決済機能を備えた移動体装置から、決済機能により決済が行われた場合に、当該決済が行われた時間および場所を含んだ決済情報を受信し、移動体装置から受信した決済情報を記憶し、記憶された決済情報に基づいて、記憶されたスケジュールの進捗を判定するので、例えば、「１３：００〜１４：００、霞が関、Ａ社会議」というスケジュールが登録されており、「１２：５０、地下鉄霞ヶ関駅、１９０円（地下鉄新宿駅→地下鉄霞ヶ関駅）」という決済を行った場合に、利用者がスケジュール開始時間前にスケジュール場所に到着していることを根拠にして、スケジュールが遂行されるものと判定するなど、虚偽が困難である決済情報を用いてスケジュールの進捗管理を行うことができ、これによって、信頼度の高いスケジュール進捗管理を行うことが可能である。
【００１８】
また、請求項３の発明によれば、記憶された決済情報に基づいて、記憶された重要度の高いスケジュールを遂行できないおそれがあるか否かを判定し、重要度の高いスケジュールを遂行できないおそれがある旨が判定された場合に、当該遂行できないおそれがある旨を示す警告を移動体装置に送信するので、管理装置では、例えば、「１３：００〜１４：００、霞が関、Ａ社会議」というスケジュールと「１４：３０〜１５：００、大手町、Ｂ社会議（重要）」というスケジュールが登録されており、「１３：３０、地下鉄霞ヶ関駅、１９０円（地下鉄新宿駅→地下鉄霞ヶ関駅）」という決済情報を移動体装置から受信した場合に、重要スケジュールを遂行できない（利用者が重要スケジュール前のスケジュール場所に大きく遅れて到着しており、このままでは重要スケジュール前のスケジュールが大きく遅れて終了してしまう）おそれがあるものと判定して警告を移動体装置に送信するなど、決済情報を契機にして、重要スケジュール遂行不能のおそれを利用者に迅速に知らせることができ、これによって、利用者は、例えば、重要でないスケジュールをキャンセルするなど、重要スケジュール遂行不能を迅速に防止することが可能である。
【００１９】
また、請求項４の発明によれば、記憶された決済情報に基づいて、記憶されたスケジュールの場所に移動経路で移動することによってスケジュールの開始に遅れるか否かを判定し、スケジュールの開始に遅れる旨が判定された場合に、当該スケジュールの開始に遅れない別の移動経路を検索し、当該検索した別の移動経路に係る情報を移動体装置に送信するので、管理装置では、例えば、「１３：００〜１４：００、霞が関、Ａ社会議、電車」というスケジュールと「１４：３０〜１５：００、大手町、Ｂ社会議、電車」というスケジュールが登録されており、「１３：３０、地下鉄霞ヶ関駅、１９０円（地下鉄新宿駅→地下鉄霞ヶ関駅）」という決済情報を移動体装置から受信した場合に、スケジュールの開始に遅れる（利用者が次スケジュール前のスケジュール場所に大きく遅れて到着しており、このままスケジュールを遂行して次スケジュール場所に電車で移動したのでは次スケジュールの開始に遅れる）ものと判定して別の移動経路（例えば、タクシー）を検索するなど、決済情報を契機にして、スケジュールの開始に間に合う別の移動経路を利用者に迅速に知らせることができ、これによって、利用者は、例えば、別の移動経路を採用するなど、スケジュールの開始に間に合うように臨機応変に対応することが可能である。
【００２０】
また、請求項５の発明によれば、記憶された決済情報に基づいて、記憶されたスケジュールの進捗に遅延が生じているか否か、または、記憶された重要度の高いスケジュールを遂行できないおそれがあるか否かを判定し、スケジュールの進捗に遅延が生じている旨、または、重要度の高いスケジュールを遂行できないおそれがある旨が判定された場合に、記憶されたスケジュールを変更し、当該変更した新たなスケジュールに係る情報を移動体装置に送信するので、管理装置では、例えば、「１３：００〜１４：００、霞が関、Ａ社会議、電車」というスケジュールと「１４：３０〜１５：００、大手町、Ｂ社会議、電車（重要）」というスケジュールが登録されており、「１３：５０、地下鉄霞ヶ関駅、１９０円（地下鉄新宿駅→地下鉄霞ヶ関駅）」という決済情報を移動体装置から受信した場合に、スケジュールの開始が大幅に遅れる（利用者が次スケジュール前のスケジュール場所に大幅に遅れて到着しており、このままスケジュールを遂行すると次の重要スケジュール場所に間に合わない）ものと判定して、「１３：００〜１４：００、霞が関、Ａ社会議、電車」というスケジュールをキャンセルし、「１４：３０〜１５：００、大手町、Ｂ社会議、電車（重要）」というスケジュールを優先する新たなスケジュールに変更するなどを、決済情報を契機にして、利用者に迅速に知らせることができ、これによって、利用者は、例えば、重要スケジュールを優先して遂行できるなど、臨機応変に対応することが可能である。
【００２１】
また、請求項６の発明によれば、記憶されたスケジュールを変更された場合、当該スケジュールが変更されたことを当該スケジュールに関係する関係者の端末装置に送信するので、管理装置では、例えば、「１９：００〜９：００、東京、宿泊」というスケジュールとが登録されており、「１８：５５、地下鉄大手町駅、１９０円（地下鉄霞ヶ関駅→地下鉄大手町駅）」という決済情報を移動体装置から受信した場合に、ホテルのチェックイン時間に間に合わないものと判断して、ホテルへチェックイン時間が遅れる旨を送信するなど、スケジュールに関係する関係者端末に迅速に知らせることが可能である。
【００２２】
また、請求項７の発明によれば、記憶されたスケジュールを遂行するために必要な所定の経費を移動体装置に入金するように所定の金融機関に指示するので、例えば、「１３：００〜１４：００、霞が関、Ａ社会議、電車」というスケジュールと「１５：００〜１６：００、大手町、Ｂ社会議、電車」というスケジュールが登録されており、「１２：５０、地下鉄霞ヶ関駅、１９０円（地下鉄新宿駅→地下鉄霞ヶ関駅）」という決済情報を移動体装置から受信した後に、次のスケジュールである「１５：００〜１６：００、大手町、Ｂ社会議、電車」の決済前に必要な交通費を入金するなど、あらかじめ用意する必要があるプリペードカードや現金などの紛失時のリスクを防止することが可能である。
【００２３】
また、請求項８の発明によれば、移動体装置は、利用者のスケジュールを場所および時間に対応付けて記憶し、決済機能により決済が行われた場合に、当該決済が行われた場所および時間を含んだ決済情報を記憶し、記憶された決済情報に基づいて、記憶されたスケジュールの進捗を判定するので、例えば、「１３：００〜１４：００、霞が関、Ａ社会議」というスケジュールが登録されており、「１２：５０、地下鉄霞ヶ関駅、１９０円（地下鉄新宿駅→地下鉄霞ヶ関駅）」という決済を行った場合に、利用者がスケジュール開始時間前にスケジュール場所に到着していることを根拠にして、スケジュールが遂行されるものと判定するなど、虚偽が困難である決済情報を用いてスケジュールの進捗管理を行うことができ、これによって、信頼度の高いスケジュール進捗管理を行うことが可能である。さらに、管理装置と通信を行う必要がないので、通信費を削減することが可能である。
【００２４】
また、請求項９の発明によれば、移動体装置は、記憶された決済情報に基づいて、記憶されたスケジュールの進捗に遅延が生じているか否か、または、記憶された重要度の高いスケジュールを遂行できないおそれがあるか否かを判定し、スケジュールの進捗に遅延が生じている旨、または、重要度の高いスケジュールを遂行できないおそれがある旨が判定された場合に、記憶されたスケジュールを変更し、当該変更した新たなスケジュールに係る情報を利用者に報知し、スケジュールを変更された場合、当該スケジュールの変更に係る情報を当該スケジュールに関係する関係者の端末装置に送信するので、例えば、「１３：００〜１４：００、霞が関、Ａ社会議、電車」というスケジュールと「１４：３０〜１５：００、大手町、Ｂ社会議、電車（重要）」というスケジュールが登録されており、「１３：５０、地下鉄霞ヶ関駅、１９０円（地下鉄新宿駅→地下鉄霞ヶ関駅）」という決済を行った場合に、スケジュールの開始が大幅に遅れる（利用者が次スケジュール前のスケジュール場所に大幅に遅れて到着しており、このままスケジュールを遂行すると次の重要スケジュール場所に間に合わない）ものと判定して、「１３：００〜１４：００、霞が関、Ａ社会議、電車」というスケジュールをキャンセルし、「１４：３０〜１５：００、大手町、Ｂ社会議、電車（重要）」というスケジュールを優先する新たなスケジュールに変更するなどを、決済情報を契機にして、利用者に迅速に知らせることができ、これによって、利用者は、例えば、重要スケジュールを優先して遂行できるなど、臨機応変に対応することが可能である。さらに、スケジュール変更を行う場合、利用者の個人情報（例えば、氏名、年齢、住所など）を使用するようにしてよい。
【００２５】
また、請求項１０の発明によれば、移動体装置は、スケジュール変更手段により、記憶されたスケジュールを変更された場合、当該スケジュールが変更されたことを当該スケジュールに関係する関係者の端末装置に送信するので、例えば、「１９：００〜９：００、東京、宿泊」というスケジュールとが登録されており、「１８：５５、地下鉄大手町駅、１９０円（地下鉄霞ヶ関駅→地下鉄大手町駅）」という決済を行った場合に、ホテルのチェックイン時間に間に合わないものと判断して、ホテルへチェックイン時間が遅れる旨を送信するなど、スケジュールに関係する関係者端末に迅速に知らせることが可能である。
【発明を実施するための最良の形態】
【００２６】
以下に添付図面を参照して、この発明に係るスケジュール管理システムの実施例（実施例１〜５）を詳細に説明する。
【実施例１】
【００２７】
以下の実施例１では、本発明に係るスケジュール管理システムの概要および特徴、スケジュール管理システムの構成および処理の流れ、実施例１による効果等を順に説明する。
【００２８】
［スケジュール管理システムの概要および特徴］
まず最初に、図１を用いて、本実施例に係るスケジュール管理システムの概要および特徴を説明する。図１は、本実施例に係るスケジュール管理システムを含むシステム構成図である。
【００２９】
本実施例に係るスケジュール管理システムは、登録されているスケジュールの進捗管理を行うことを概要とするものであり、虚偽が困難である決済情報を用いてスケジュールの進捗管理を行うことで、信頼度の高いスケジュール進捗管理を行うことが可能である点に主たる特徴がある。
【００３０】
図１を用いて、この主たる特徴を説明する。同図に示すように、スケジュールを管理する管理装置１１と、移動体装置１５に入金を行う入金センタ１２と、入金指示を指示する金融機関１３と、移動体装置１５を所有する利用者の勤め先である会社１４とがネットワーク１０（公衆電話網やインターネットなどによって形成される通信網）を介して相互に通信可能に接続して構成される。また、管理装置１１と、入金センタ１２と、移動体装置１５とは、図示しない基地局を介して無線通信にて接続されている。
【００３１】
このような構成において、移動体装置１５は、管理装置１１に接続して利用者のスケジュール１６を登録し（図１の（１−１））、管理装置１１は、登録されたスケジュール１６を記憶する（図１の（１−２））。ここで、管理装置１１にて記憶されるスケジュール１６は、予定と時間と場所と進行状況（例えば、Ａ社会議、１０：００〜１２：００、霞が関、ＯＫ）とから構成される。
【００３２】
また、管理装置１１は、記憶するスケジュールに応じて必要な経費（例えば、交通費）を入金するようネットワーク１０を介して金融機関１３に指示し（図１の（２−１））、そして、入金を指示された金融機関１３は、ネットワーク１０を介して、入金センタ１２へ所定の金額を入金するよう指示し（図１の（２−２））、続いて、入金センタは、指示された金額を移動体装置１５に入金する（図１の（２−３））。
【００３３】
そして、例えば、移動体装置１５は、霞ヶ関駅にて決済処理を行うと（図１の（３−１））、当該決済情報（例えば、９：５０、地下鉄霞ヶ関駅、１９０円）を管理装置１１へ送信し（図１の（３−２））、受信した管理装置１１は、当該決済情報を記憶し（図１の（３−３））、続いて、管理装置１１は、記憶された決済情報１７に基づいて、記憶しているスケジュール１６のスケジュール進捗判定を行う（図１の（３−４））。
【００３４】
具体的には、管理装置１１は、記憶するスケジュールの中に開始時間が到来するスケジュールがあるか判断し、到来するスケジュールがある場合、決済情報を閲覧し到来するスケジュールに見合った決済が行われているか否かを判断し、スケジュールの進捗判定を行う。
【００３５】
例えば、記憶されているスケジュールに「Ａ社会議、１０：００〜１２：００、霞が関」と記載されているため、１０：００近くになると（例えば、９：５０ぐらい）、記憶する決済情報を閲覧する。そして、決済情報として「９：５０、地下鉄霞ヶ関駅、１９０円」を記憶していた場合、利用者がスケジュール開始時間前にスケジュール場所に到着していることを根拠にして、スケジュールが遂行されるものと判定し、進捗状況にＯＫと記入する。一方、決済情報として「９：５０、地下鉄霞ヶ関駅、１９０円」を記憶していない場合、利用者がスケジュール開始時間前にスケジュール場所に到達していないものと判定し、進捗状況にＮＧを記入する。
【００３６】
また、移動体装置１５を所有する利用者の勤め先である会社１４は、随時、ネットワーク１０を介して管理装置に接続し、登録されているスケジュールの進捗状況を閲覧することが可能である（図１の（４））。
【００３７】
このように、スケジュールを管理する管理装置１１は、利用者がスケジュール開始時間前にスケジュール場所に到着していることを根拠にして、スケジュールが遂行されるものと判定するなど、虚偽が困難である決済情報を用いてスケジュールの進捗管理を行うことができ、上記した主たる特徴のごとく、信頼度の高いスケジュール進捗管理を行うことが可能である。なお、移動体装置１５とは、例えば、パーソナルコンピュータやワークステーション、家庭用ゲーム機、インターネットＴＶ、ＰＤＡ、あるいは携帯電話やＰＨＳの如き移動体通信端末である。
【００３８】
［スケジュール管理システムの構成（実施例１）］
次に、図２〜図４を用いて、図１に示したスケジュール管理システムの構成を説明する。図２は、スケジュール管理システムの構成の構成を示すブロック図であり、図３は、登録されるスケジュールの例を示した図であり、図４は、記憶される決済情報の例を示した図である。図２に示すように、このスケジュール管理システムは、移動体装置１５と、管理装置１１と、基地局２０とから構成される。
【００３９】
このうち、移動体装置１５は、本発明に密接に関連するものとして、通信部１５ａと、決算部１５ｂと、決済送信部１５ｃとから構成される。通信部１５ａは、無線通信を行う手段であり、具体的には、携帯端末やＰＨＳ（Ｐｅｒｓｏｎａｌ  Ｈａｎｄｙ  ｐｈｏｎｅ  Ｓｙｓｔｅｍ）などの機能を利用し、基地局２０を介して管理装置１１と相互に通信を行う。
【００４０】
そして、決算部１５ｂは、決算を行う手段であり、具体的には、非接触型通信などの機能を有し、スケジュールを遂行する上で必要な決済を行う。例えば、地下鉄の乗車賃やホテルの宿泊費などの支払いを行う。また、決済送信部１５ｃは、決算部１５ｂにより決済が行われた場合、当該決済情報を送信する手段である。具体的には、当該決済情報を通信部１５ａおよび基地局２０を介して、管理装置１１に送信する。例えば、９：５０に霞ヶ関駅で電車を降車した場合、決済情報として「９：５０、地下鉄霞ヶ関駅、１９０円」を通信部１５ａおよび基地局２０を介して、管理装置１１に送信する。
【００４１】
また、管理装置１１は、本発明に密接に関連するものとして、ネットワーク通信部１１ａと、スケジュール記憶部１１ｂと、決済情報記憶部１１ｃと、スケジュール進捗判定部１１ｄとから構成される。
【００４２】
このうち、ネットワーク通信部１１ａは、ネットワーク１０と接続し所定の情報を受信する手段である。具体的には、ネットワーク１０に接続し、ネットワーク１０に接続される他の装置（例えば、基地局２０や金融機関など）と通信を行い、決済情報などを受信する。
【００４３】
そして、スケジュール記憶部１１ｂは、スケジュールを記憶する手段である。具体的には、移動体装置１５またはネットワーク１０に接続される図示しない端末装置を用いて、管理装置１１に接続し、利用者のスケジュールが登録された場合、当該スケジュールを「予定、時間、場所、進捗状況」に対応付けて記憶する（図３参照）。例えば、図３に示したように、「Ａ社会議、１０：００〜１２：００、霞が関」などを記憶する。
【００４４】
また、決済情報記憶部１１ｃは、移動体装置１５から送信された決済情報を受信し、記憶する手段である。具体的には、移動体装置の決済部１５ｂが決済を行い、決済送信部１５ｃより管理装置１１に決済情報が送信された場合、決済情報記憶部１１ｃは、当該決済情報を受信し、「決済時刻、決済場所、決済料金」に対応付けて記憶する（図４参照）。例えば、図４に示したように「９：５０、地下鉄霞ヶ関駅、１９０円」などを記憶する。
【００４５】
そして、スケジュール進捗判定部１１ｄは、スケジュールの進捗判定を行う手段である。具体的には、決済情報記憶部１１ｃに記憶されている決済情報に基づいて、スケジュール記憶部１１ｂに記憶されているスケジュールの進捗判定を行う。例えば、図３に示したように「Ａ社会議、１０：００〜１２：００、霞が関」とスケジュールを記憶していた場合、図４に示したように決済情報として「９：５０、地下鉄霞ヶ関駅、１９０円」を記憶しているので、利用者がスケジュール開始時間前にスケジュール場所に到着していることを根拠にして、スケジュールが遂行されるものと判定し、進捗状況に「ＯＫ」と記入する。
【００４６】
一方、決済情報として「９：５０、地下鉄霞ヶ関駅、１９０円」を記憶していない場合、利用者がスケジュール開始時間前にスケジュール場所に到着していないことを根拠にして、スケジュールが遂行されないものと判定し、進捗状況に「ＮＧ」と記入する。
【００４７】
［スケジュール管理システムによる進捗判定処理（実施例１）］
次に、図５を用いて、スケジュール管理システムによる進捗判定処理を説明する。図５は、スケジュール管理システムの進捗判定処理の流れを示すフローチャートである。
【００４８】
同図に示すように、管理装置１１のスケジュール記憶部１１ｂが記憶するスケジュールの中に、開始時間が到来するスケジュールがある場合（ステップＳ５０１肯定）、管理装置１１のスケジュール進捗判定部１１ｄは、決済情報記憶部１１ｃに記憶されている決済情報に、当該スケジュールの「時間」「場所」に対応する決済情報があるか否かを判定する（ステップＳ５０２）。
【００４９】
そして、当該スケジュールの「時間」「場所」 に対応した決済情報がある場合（ステップＳ５０２肯定）、スケジュール進捗判定部１１ｄは、進捗状況に「ＯＫ」を記入する（ステップＳ５０３）。一方、当該スケジュールの「時間」「場所」 に対応した決済情報がない場合（ステップＳ５０２否定）、スケジュール進捗判定部１１ｄは、進捗状況に「ＮＧ」を記入する（ステップＳ５０４）。
【００５０】
［実施例１の効果］
上述してきたように、実施例１によれば、移動体装置１５は、決済機能により決済が行われた場合に、当該決済が行われた時間および場所を含んだ決済情報を管理装置１１に送信し、管理装置１１は、移動体装置１５から受信した決済情報を記憶し、記憶された決済情報に基づいて、記憶されたスケジュールの進捗を判定するので、虚偽が困難である決済情報を用いてスケジュールの進捗管理を行うことができ、これによって、信頼度の高いスケジュール進捗管理を行うことが可能である。
【実施例２】
【００５１】
ところで、実施例１では、決済情報に基づいて、スケジュールの進捗状況を判定する場合を説明したが、本発明は必ずしもこれに限定されるものではなく、決済情報に基づいて、スケジュールの遅れを判定するようにしてもよい。
【００５２】
そこで、実施例２では、図６〜図９を用いて、記憶する決済情報に基づいて、スケジュールの遅れを判定して、遅れていると判定された場合、スケジュールが遅れている旨を示す「警告」を送信する場合を説明する。なお、以下では、処理の流れ、実施例２による効果を順に説明する。また、図６は、記憶されたスケジュールの例を示した図であり、図７および図８は、記憶された決済情報の例を示した図であり、図９は、スケジュール管理システムの処理の流れを示すフローチャートである。例えば、図６に示したように、管理装置１１は、重要なスケジュール（Ｃ社訪問（重要）、１６：００〜１８：００、大手町）を記憶している。
【００５３】
［スケジュール管理システムによる処理（実施例２）］
図９に示したように、管理装置１１は、移動体装置１５より決済情報を受信した場合（ステップＳ９０１肯定）、受信した決済情報を記憶する（ステップＳ９０２）。続いて、管理装置１１は、記憶された決済情報に基づいて、スケジュールが遅れているか否かを判定する（ステップＳ９０３）。その後、スケジュールが遅れていないと判定した場合（ステップＳ９０３否定）、管理装置１１は、処理を終了する。
【００５４】
そして、管理装置１１は、スケジュールが遅れていると判定した場合（ステップＳ９０３肯定）、記憶された決済情報に基づいて、重要スケジュールに間に合うか否かを判定する（ステップＳ９０４）。続いて、重要スケジュールに間に合うと判断した場合（ステップＳ９０４肯定）、管理装置１１は、利用者の移動体装置１５に当該遅延を示す「警告」（例えば、「スケジュール遅延発生」など）を送信する（ステップＳ９０５）。
【００５５】
一方、重要スケジュールに間に合わないと判断した場合（ステップＳ９０４否定）、管理装置１１は、利用者の移動体装置１５に当該遂行できないおそれがある旨を示す「警告（重要）」（例えば、「（重要）遅延発生」など）を送信する（ステップＳ９０６）。
【００５６】
例えば、管理装置１１は、スケジュールとして「Ｂ社会議、１３：００〜１５：００、虎ノ門」と「Ｃ社訪問（重要）、１６：００〜１８：００、大手町」とを記憶しており（図６参照）、決済情報として「１３：１０、地下鉄虎ノ門、１９０円」（図７参照）を受信して記憶した場合、Ｂ社会議には遅れたが、１０分の遅れは、Ｂ社会議を短縮などを行うことで、次の重要スケジュール（Ｃ社訪問（重要））には遅れないであろうと判定して「警告」を送信する。
【００５７】
一方、決済情報として「１４：００、地下鉄虎ノ門、１９０円」（図７参照）を受信し記憶した場合、Ｂ社会議に一時間遅れているので、このままでは、重要スケジュールを遂行できない（利用者が重要スケジュール前のスケジュール場所に大きく遅れて到着しており、このままでは重要スケジュール前のスケジュールが大きく遅れて終了してしまう）おそれがあるものと判定して、「警告（重要）」を送信する。
【００５８】
［実施例２の効果］
このように、実施例２によれば、管理装置１１は、記憶された決済情報に基づいて、記憶されたスケジュールの進捗に遅延が生じているか否かを判定し、スケジュールの進捗に遅延が生じている旨が判定された場合に、当該遅延を示す警告を移動体装置１５に送信するので、管理装置１１では、決済情報を契機にして、スケジュール進捗の遅延を利用者に迅速に知らせることができ、これによって、利用者は、例えば、打ち合わせ時間を短縮するなど、スケジュールの遅延に迅速に対応することが可能である。
【００５９】
また、実施例２によれば、管理装置１１は、記憶された決済情報に基づいて、記憶された重要度の高いスケジュールを遂行できないおそれがあるか否かを判定し、重要度の高いスケジュールを遂行できないおそれがある旨が判定された場合に、当該遂行できないおそれがある旨を示す警告を移動体装置１５に送信するので、管理装置１１では、決済情報を契機にして、重要スケジュール遂行不能のおそれを利用者に迅速に知らせることができ、これによって、利用者は、例えば、重要でないスケジュールをキャンセルするなど、重要スケジュール遂行不能を迅速に防止することが可能である。
【実施例３】
【００６０】
ところで、実施例２では、決済情報に基づいて、スケジュールが遅れを判定して、警告を送信する場合を説明したが、本発明は必ずしもこれに限定されるものではなく、スケジュールに移動経路も記憶しておき（図１０参照）、決済情報に基づいて、移動経路によるスケジュールの遅れを判定して、別の移動経路を送信するようにしてもよい。
【００６１】
そこで、実施例３では、図１０〜図１３を用いて、記憶された決済情報に基づいて、記憶されたスケジュールの場所に移動経路で移動することによって次スケジュールの開始に遅れるか否かを判定し、次スケジュールの開始に遅れる旨が判定されると、当該スケジュールの開始に遅れない別の移動経路を検索し、当該検索した別の移動経路に係る情報を移動体装置１５に送信する場合について説明する。図１０は、記憶されたスケジュールの例を示した図であり、図１１は、記憶された決済情報の例を示した図であり、図１２は、移動経路を変更した後のスケジュールを示した図であり、図１３は、スケジュール管理システムの処理の流れを示すフローチャートである。例えば、図１０に示したように、管理装置１１は、スケジュールとして「Ｃ社訪問、１６：００〜１８：００、大手町、電車」を記憶している。
【００６２】
［スケジュール管理システムによる処理（実施例３）］
まず、図１３に示したように、管理装置１１は、決済情報を受信すると（ステップＳ１３０１肯定）、受信した決済情報を記憶する（ステップＳ１３０２）。続いて、記憶された決済情報に基づいて、次スケジュールの開始に遅れるか否かを判定する（ステップＳ１３０３）。
【００６３】
そして、管理装置１１は、次スケジュールの開始に遅れると判定された場合（ステップＳ１３０３肯定）、次スケジュールに間に合う移動経路を検索し、当該スケジュールを更新し、更新結果を移動体装置１５に送信する（ステップＳ１３０４）。一方、次スケジュールの開始に遅れないと判定された場合（ステップＳ１３０３否定）、処理を終了する。
【００６４】
例えば、管理装置１１は、スケジュールとして「Ｂ社会議、１３：００〜１５：００、虎ノ門、電車」と「Ｃ社訪問、１６：００〜１８：００、大手町、電車」を記憶しており（図１０参照）、決済情報として「１３：３０、地下鉄虎ノ門、１９０円」（図１１参照）を受信して記憶した場合、スケジュールの開始に遅れる（利用者が次スケジュール前のスケジュール場所に大きく遅れて到着しており、このままスケジュールを遂行して次スケジュール場所に電車で移動したのでは次スケジュールの開始に遅れる）ものと判定して別の移動経路（例えば、タクシー）を検索し、当該スケジュールを更新して、更新結果を送信する（図１２参照）。
【００６５】
［実施例３の効果］
このように、実施例３によれば、管理装置１１は、記憶された決済情報に基づいて、記憶されたスケジュールの場所に移動経路で移動することによってスケジュールの開始に遅れるか否かを判定し、スケジュールの開始に遅れる旨が判定された場合に、当該スケジュールの開始に遅れない別の移動経路を検索し、当該検索した別の移動経路に係る情報を移動体装置１５に送信するので、管理装置１１では、決済情報を契機にして、スケジュールの開始に間に合う別の移動経路を利用者に迅速に知らせることができ、これによって、利用者は、例えば、別の移動経路を採用するなど、スケジュールの開始に間に合うように臨機応変に対応することが可能である。
【実施例４】
【００６６】
ところで、実施例２では、決済情報に基づいて、スケジュールが遅れを判定して、警告を送信する場合を説明したが、本発明は必ずしもこれに限定されるものではなく、決済情報に基づいて、スケジュールが遅れを判定して、遅れがある場合、記憶されたスケジュールを変更するようにしてもよい。
【００６７】
そこで、実施例４では、図１４〜図１７を用いて、記憶される決済情報に基づいて、このままスケジュールを遂行すると、次の重要スケジュールに間に合わないと判定される場合、重要スケジュールを優先する新たなスケジュールに変更し、変更したスケジュールを移動体装置１５に送信する場合を説明する。なお、以下では、処理の流れ、実施例４による効果を順に説明する。また、図１４は、記憶されたスケジュールの例を示した図であり、図１５は、記憶された決済情報の例を示した図であり、図１６は、変更されたスケジュールの例を示した図であり、図１７は、スケジュール管理システムの処理の流れを示すフローチャートである。例えば、図１４に示したように、管理装置１１は、重要なスケジュールとして「Ｃ社訪問（重要）、１９：００〜２０：００、新橋、電車」を記憶している。
【００６８】
［スケジュール管理システムによる処理（実施例４）］
まず、図１７に示したように、管理装置１１は、決済情報を受信すると（ステップＳ１７０１肯定）、受信した決済情報を記憶する（ステップＳ１７０２）。続いて、記憶された決済情報に基づいて、次の重要スケジュールの開始に間に合うか否かを判定する（ステップＳ１７０３）。
【００６９】
そして、管理装置１１は、次の重要スケジュールに間に合わないと判定された場合（ステップＳ１７０３肯定）、記憶されているスケジュールを変更し（ステップＳ１７０４）、変更したスケジュールを当該移動体装置に送信する（ステップＳ１７０５）。続いて、管理装置１１は、当該スケジュールに関係する関係者端末に、変更されたスケジュールを送信する（ステップＳ１７０６）。一方、次の重要スケジュールに間に合うと判定された場合（ステップＳ１７０３否定）、管理装置１１は、処理を終了する。
【００７０】
例えば、管理装置１１は、スケジュールとして「Ｂ社会議、１３：００〜１５：００、虎ノ門、電車」と「Ｃ社訪問、１６：００〜１８：００、大手町、電車」と「Ｄ社訪問（重要）、１９：００〜２０：００、新橋、電車」を記憶しており（図１４参照）、決済情報として「１４：００、地下鉄虎ノ門、１９０円」（図１５参照）が受信し記憶した場合、スケジュールの開始が大幅に遅れる（利用者が次スケジュール前のスケジュール場所に大幅に遅れて到着しており、このままスケジュールを遂行すると次の重要スケジュール場所に間に合わない）ものと判定して、「Ｃ社訪問、１６：００〜１８：００、大手町、電車」というスケジュールをキャンセルし、「Ｄ社訪問（重要）、１９：００〜２０：００、新橋、電車」というスケジュールを優先する新たなスケジュールに変更する（図１６参照）。
【００７１】
そして、管理装置１１は、変更したスケジュールを当該移動体装置１５と当該スケジュールに関係する関係者端末に送信する。なお、関係者端末とは、当該スケジュール変更により直接的に影響を受ける者の端末（例えば、Ｃ社訪問に同席する同僚の端末やＣ社社員の端末など）や、間接的に影響を受ける者の端末（例えば、宿泊チェックイン時間の変更依頼の送信先であるホテルの端末など）の如き端末装置である。
【００７２】
［実施例４の効果］
このように、実施例４によれば、管理装置１１は、記憶された決済情報に基づいて、記憶されたスケジュールの進捗に遅延が生じているか否か、または、記憶された重要度の高いスケジュールを遂行できないおそれがあるか否かを判定し、スケジュールの進捗に遅延が生じている旨、または、重要度の高いスケジュールを遂行できないおそれがある旨が判定された場合に、記憶されたスケジュールを変更し、当該変更した新たなスケジュールに係る情報を移動体装置１５に送信するので、管理装置１１では、決済情報を契機にして、利用者に迅速に知らせることができ、これによって、利用者は、例えば、重要スケジュールを優先して遂行できるなど、臨機応変に対応することが可能である。
【００７３】
また、実施例４によれば、管理装置１１は、記憶されたスケジュールを変更された場合、当該スケジュールが変更されたことを当該スケジュールに関係する関係者の端末装置に送信するので、管理装置１１では、スケジュールに関係する関係者端末に迅速に知らせることが可能である。
【実施例５】
【００７４】
さて、これまで実施例１〜実施例４に係るスケジュール管理システムについて説明してきたが、本発明は上記した実施例以外にも、種々の異なる形態にて実施されてよいものである。そこで、以下では実施例５として、種々の異なる形態について説明する。
【００７５】
例えば、実施例１〜４において、管理装置１１にてスケジュール管理を行う場合を説明してきたが、本発明はこれに限定されるものではなく、移動体装置１５でスケジュール管理を行うようにしてもよい。例えば、移動体装置１５でスケジュール管理を行う場合、管理装置１１との通信が必要ないので、管理装置１１を使用する場合に比べて、通信費を削減することが可能である。また、管理装置１１と移動体装置１５と両方でスケジュール管理を行う場合、移動体装置１５が管理装置１１と通信を行えない状態でも、虚偽が困難である決済情報を用いてスケジュールの進捗管理を行うことができ、これによって、信頼度の高いスケジュール進捗管理を行うことが可能である。
【００７６】
例えば、実施例１〜４において、記憶されたスケジュールの開始時間を基準にして、スケジュールの進捗判定または遅延判定を行う場合を説明したが、本発明はこれに限定されるものではなく、例えば、記憶されたスケジュールの終了時間や全スケジュール終了後に判定するなど、スケジュール進捗判定または遅延判定を行う基準（タイミング）を任意に設定変更することが可能である。
【００７７】
また、実施例１〜４において、移動体装置１５から決済情報を管理装置１１に送信しスケジュールの進捗管理を行う場合を説明したが、本発明はこれに限定されるものではなく、例えば、移動途中に車に乗車する場合、移動体装置１５から車に搭載されているカーナビゲーションシステムに、スケジュールに係る情報を送信することで、乗車している間もスケジュール管理を行うことが可能である。
【００７８】
また、本発明は、移動体装置１５にスケジュールの進行に必要な金額を入金するようにしてもよい。例えば、管理装置１１は、記憶されたスケジュールを遂行するために必要な所定の経費を移動体装置１５に入金するように所定の金融機関１３に指示するので、例えば、「１３：００〜１４：００、霞が関、Ａ社会議、電車」というスケジュールと「１５：００〜１６：００、大手町、Ｂ社会議、電車」というスケジュールが登録されており、「１２：５０、地下鉄霞ヶ関駅、１９０円（地下鉄新宿駅→地下鉄霞ヶ関駅）」という決済情報を移動体装置１５から受信した後、次のスケジュールである「１５：００〜１６：００、大手町、Ｂ社会議、電車」の決済前に必要な交通費を入金するなど、あらかじめ用意する必要があるプリペードカードや現金などの紛失時のリスクを防止することが可能である。
【００７９】
また、本実施例において説明した各処理のうち、自動的におこなわれるものとして説明した処理の全部または一部を手動的におこなうこともでき、あるいは、手動的におこなわれるものとして説明した処理の全部または一部を公知の方法で自動的におこなうこともできる。この他、上記文書中や図面中で示した処理手順、制御手順、具体的名称、各種のデータやパラメータを含む情報については、特記する場合を除いて任意に変更することができる。
【００８０】
また、図示した各装置の各構成要素は機能概念的なものであり、必ずしも物理的に図示の如く構成されていることを要しない。すなわち、各装置の分散・統合の具体的形態は図示のものに限られず、その全部または一部を、各種の負荷や使用状況などに応じて、任意の単位で機能的または物理的に分散・統合して構成することができる。さらに、各装置にて行なわれる各処理機能は、その全部または任意の一部が、ＣＰＵおよび当該ＣＰＵにて解析実行されるプログラムにて実現され、あるいは、ワイヤードロジックによるハードウェアとして実現され得る。
【００８１】
なお、上記の実施例では、本発明を実現する各装置（例えば、管理装置１１、移動体装置１５など）を機能面から説明したが、各装置の各機能はパーソナルコンピュータやワークステーションなどのコンピュータにプログラムを実行させることによって実現することもできる。すなわち、上記の実施例で説明した各種の処理手順は、あらかじめ用意されたプログラムをコンピュータ上で実行することによって実現することができる。そして、これらのプログラムは、インターネットなどのネットワークを介して配布することができる。さらに、これらのプログラムは、ハードディスク、フレキシブルディスク（ＦＤ）、ＣＤ−ＲＯＭ、ＭＯ、ＤＶＤなどのコンピュータで読み取り可能な記録媒体に記録され、コンピュータによって記録媒体から読み出されることによって実行することもできる。つまり、例を挙げれば、実施例１に示したような移動体装置用プログラムや、管理装置用プログラムを格納したＣＤ−ＲＯＭ（装置ごとに別個のＣＤ−ＲＯＭであってもよい）を配布し、このＣＤ−ＲＯＭに格納されたプログラムを各コンピュータが読み出して実行するようにしてもよい。
【産業上の利用可能性】
【００８２】
以上のように、本発明に係るスケジュール管理システム、管理装置および移動体装置は、スケジュール進捗管理を行うことに有用であり、特に、信頼度の高いスケジュール進捗管理を行うことに適する。
【図面の簡単な説明】
【００８３】
【図１】実施例１に係るスケジュール管理システムを含むシステム構成図である。
【図２】実施例１に係るスケジュール管理システムの構成の構成を示すブロック図である。
【図３】実施例１に係る登録されるスケジュールの例を示した図である。
【図４】実施例１に係る記憶された決済情報の例を示した図である。
【図５】実施例１に係るスケジュール管理システムの進捗判定処理の流れを示すフローチャートである。
【図６】実施例２に係る記憶されたスケジュールの例を示した図である。
【図７】実施例２に係る記憶された決済情報の例を示した図である。
【図８】実施例２に係る記憶された決済情報の例を示した図である。
【図９】実施例２に係るスケジュール管理システムによる処理の流れを示したフローチャートである。
【図１０】実施例３に係る記憶されたスケジュールの例を示した図である。
【図１１】実施例３に係る記憶された決済情報の例を示した図である。
【図１２】実施例３に係る移動経路を変更した後のスケジュールを示した図である。
【図１３】実施例３に係るスケジュール管理システムによる処理の流れを示したフローチャートである。
【図１４】実施例４に係る記憶されたスケジュールの例を示した図である。
【図１５】実施例４に係る記憶された決済情報の例を示した図である。
【図１６】実施例４に係る変更されたスケジュールの例を示した図である。
【図１７】実施例４に係るスケジュール管理システムによる処理の流れを示したフローチャートである。
【符号の説明】
【００８４】
１０  ネットワーク
１１  管理装置
１１ａ  ネットワーク通信部
１１ｂ  スケジュール記憶部
１１ｃ  決済情報記憶部
１１ｄ  スケジュール進捗判定部
１２  入金センタ
１３  金融機関
１４  会社
１５  移動体装置
１５ａ  通信部
１５ｂ  決済部
１５ｃ  決済情報送信部
１６  スケジュール
１７  決済情報
２０  基地局
【図１】
2007219660.tif 000003
【図２】
2007219660.tif 000004
【図３】
2007219660.tif 000005
【図４】
2007219660.tif 000006
【図５】
2007219660.tif 000007
【図６】
2007219660.tif 000008
【図７】
2007219660.tif 000009
【図８】
2007219660.tif 000010
【図９】
2007219660.tif 000011
【図１０】
2007219660.tif 000012
【図１１】
2007219660.tif 000013
【図１２】
2007219660.tif 000014
【図１３】
2007219660.tif 000015
【図１４】
2007219660.tif 000016
【図１５】
2007219660.tif 000017
【図１６】
2007219660.tif 000018
【図１７】
2007219660.tif 000019